(57)【特許請求の範囲】
【請求項１】
人の小便を模した模擬小便を洋式便器内に吐出する模擬小便吐出装置であって、前記模擬小便を溜めておくタンクと、先端部に吐出口部を有し、この吐出口部から前記模擬小便を前記洋式便器内に吐出する吐出器と、前記タンクと前記吐出器とを連通する連通路と、この連通路の途中に設けられ、前記模擬小便を前記タンクから吸引し、前記吐出器へ送液する圧送手段と、前記吐出器の前記吐出口部を前記洋式便器に設けられたボールの内面に対向させて支持する支持体とを備え、
前記吐出口部は、断面円形状の基部と扁平部を備え、前記基部から前記扁平部分にかけて徐々に直径が狭まる先細り形状であり、
前記吐出口部の先端は扁平な開口であり、この開口における短辺側の幅と長辺側の幅の比が、１：３〜１：１０の範囲内であり、
前記開口から吐出した前記模擬小便の水流にひねりが生じる、
ことを特徴とする模擬小便吐出装置。
【請求項２】
前記吐出口部からの前記模擬小便の吐出量を調整する流量調整手段と、所定時間経過後、前記吐出口部からの前記模擬小便の吐出を停止する停止手段も備えることを特徴とする請求項１に記載の模擬小便吐出装置。
【発明の詳細な説明】
【技術分野】
【０００１】
本発明は、模擬小便吐出装置に関する。
【背景技術】
【０００２】
従来より、公衆トイレや商業施設内の男性用トイレにおいては、立位での排尿に特化した小便器と、大便器が併設されている場合が多い。一方、多くの一般家庭のトイレにおいては、設置面積の都合から洋式便器が設置されている。このような洋式便器では、男性の立位での排尿時に、小便が便器のボール内にとどまらず、リム上部や便蓋部等に飛散するため汚れやすく、トイレ清掃の手間がかかることが問題となっている。また、飛散した小便は、悪臭を放つのみならず尿石として固着するため、衛生上好ましくないばかりではなく、トイレの美観を損ねることも問題となっている。
【０００３】
このような問題を解決することを目的として、男性の立位での排尿時に小便の飛散の少ない洋式便器が検討されているが、そのためには小便の飛散および飛散抑制の評価が必要となる。
【０００４】
そこで、従来では、男性の立位での排尿による小便の飛散と同じまたはそれによく似た様子を実現するために、模擬小便として水道水や着色した水等の液体を洋式便器の斜め上方よりボール内に吐出し、飛散させているが、いずれの場合も手作業によってシリンジやピペットから模擬小便を吐出している。しかしながら、このような模擬小便の吐出方法では、手作業によるバラツキが大きく、小便の飛散の分布や飛散量を精度良く、評価、分析することは必ずしも容易ではなかった。また、洋式便器の上方に垂下させたホースを介して、洋式便器のボール内に模擬小便を吐出し、飛散させることも試みられているが、男性の立位での排尿による小便の飛散とほぼ同じ様子を良好に実現できているとは言い難い。
【０００５】
ところで、本発明者らは、これまでに洋式便器の洗浄性の評価に必要な、模擬便の吐出の量や速度、および人の肛門位置の変化に対応する洋式便器に対しての吐出位置の調整を可能とする模擬便吐出装置の発明を提案している（特許文献１参照）。
【０００６】
特許文献１に記載された模擬便吐出装置は、吐出口部とこれに連通して収容した模擬便を押出す押圧部とを有する吐出ユニットと、この吐出ユニットを前記吐出口部が大便器のボールに対して上方に位置するように支持する吐出ユニット支持体とを備えることを特徴としている。この特徴によって、大便器のボールに対して模擬便を上方よりボール内に吐出させる簡便な模擬便吐出装置が実現され、評価の再現性が高くなる。
【先行技術文献】
【特許文献】
【０００７】
【特許文献１】特許第４４６２２３５号公報
【発明の概要】
【発明が解決しようとする課題】
【０００８】
しかしながら、これまでには、小便の飛散および飛散抑制の評価に必要な、模擬小便の吐出装置は全く提案されていなかった。
【０００９】
本発明は、以上のとおりの事情に鑑みてなされたものであり、男性が立って洋式便器に小用をした際の小便の飛散と同じまたはそれによく似た様子を実現することができる模擬小便吐出装置を提供することを課題としている。
【課題を解決するための手段】
【００１０】
上記の課題を解決するために、本発明の模擬小便吐出装置は、人の小便を模した模擬小便を洋式便器内に吐出する模擬小便吐出装置であって、前記模擬小便を溜めておくタンクと、先端部に吐出口部を有し、この吐出口部から前記模擬小便を前記洋式便器内に吐出する吐出器と、前記タンクと前記吐出器とを連通する連通路と、この連通路の途中に設けられ、前記模擬小便を前記タンクから吸引し、前記吐出器へ送液する圧送手段と、前記吐出器の前記吐出口部を前記洋式便器に設けられたボールの内面に対向させて支持する支持体とを備え、前記吐出口部は、断面円形状の基部と扁平部を備え、前記基部から前記扁平部分にかけて徐々に直径が狭まる先細り形状であり、前記吐出口部の先端は扁平な開口であり、この開口における短辺側の幅と長辺側の幅の比が、１：３〜１：１０の範囲内であり、前記開口から吐出した前記模擬小便の水流にひねりが生じる、ことを特徴とする。
【発明の効果】
【００１１】
本発明の模擬小便吐出装置によれば、男性が立って洋式便器に小用をした際の小便の飛散と同じまたはそれによく似た様子を実現することができる。
【図面の簡単な説明】
【００１２】
【図１】本発明の模擬小便吐出装置の一実施形態を示した概略図である。
【図２】本発明の模擬小便吐出装置の吐出口部の斜視図である。
【図３】（ａ）は、図２の吐出口部の概略縦断面図である。（ｂ）は、図２の吐出口部の開口の概略正面図である。
【図４】図２の吐出口部による模擬小便の吐出時の水流を模式的に表した図である。
【図５】（ａ）（ｂ）（ｃ）は、男性モニターによる排尿と本発明の模擬小便吐出装置による洋式便器のリム上面および便蓋部への模擬小便の飛散割合を示したグラフである。（ａ）は、男性モニターによる排尿時の小便の飛散割合を示している。（ｂ）は、吐出口部の先端が扁平な開口である模擬小便吐出装置による模擬小便の飛散割合を示している。（ｃ）は、比較例としての吐出口部の先端が断面円形な開口である模擬小便吐出装置の場合の模擬小便の飛散割合を示している。
【発明を実施するための形態】
【００１３】
図１は、本発明の模擬小便吐出装置の一実施形態を示した概略図である。
【００１４】
図１に示したように、模擬小便吐出装置１は、人の小便を模した模擬小便２を洋式便器３内に吐出する模擬小便吐出装置１であって、模擬小便２を溜めておくタンク４と、先端部に吐出口部５を有し、この吐出口部５から模擬小便２を洋式便器３内に吐出する吐出器６と、タンク４と吐出器６とを連通する連通路７と、連通路７の途中に設けられ、模擬小便２をタンク４から吸引し、吐出器６へ送液する圧送手段８と、吐出器６の吐出口部５を洋式便器３に設けられたボール９の内面に対向させて支持する支持体１０とを備えている。
【００１５】
模擬小便吐出装置１において適用される模擬小便２は、人の小便を模した液体として定義される。模擬小便２としては、例えば、水道水や食用色素などで着色した水などが適用可能である。
【００１６】
模擬小便２は、飛散試験に供されるまでの間、タンク４内に溜められている。タンク４には、タンク４外で調製した模擬小便２を注ぎ入れて、タンク４内部に溜めておくことができる。また、模擬小便２として水道水を用いる場合、タンク４と水道管を直結することにより、タンク４に連続的に水道水を供給し、溜めておくことも可能である。
【００１７】
模擬小便吐出装置１では、タンク４と吐出器６とを連通路７によって連通している。また、連通路７の途中には、圧送手段８が設けられている。上記のとおりタンク４に貯留された模擬小便２は、圧送手段８によってタンク４から吸引され、連通路７を通じて吐出器６に向かって送液され、吐出器６の先端に着脱自在に設けられた吐出口部５より洋式便器３内に模擬小便２を吐出する。
【００１８】
圧送手段８としては、液体の吸引および送液に通常用いられているものであれば特に制限されず、例えば、低流量ポンプなどが例示される。
【００１９】
また、模擬小便吐出装置１は、支持体１０によって、吐出器６の吐出口部５を洋式便器３に設けられたボール９の内面に対向させて支持している。支持体１０は、吐出器６の吐出口部５の高さや角度を自在に調整し、飛散試験に最適な位置に吐出器６を固定することができる。
【００２０】
支持体１０は、スタンド型支柱１０ａとこれに連結された１本あるいは複数本の横架バー１０ｂとを備えている。
【００２１】
横架バー１０ｂは、一方の端部において吐出器６を固定可能としている。横架バー１０ｂとしては、一方の端部がクランプ形状やムッフ形状などの固定具となっているものが例示される。横架バー１０ｂとしては、市販のクランプやムッフなどの固定具が適用可能である。
【００２２】
また、スタンド型支柱１０ａに対して、横架バー１０ｂを前後あるいは上下にスライドさせることが可能であり、任意の位置において吐出器６を固定することが可能である。また、横架バー１０ｂは左右方向への回動および回転も自在である。このようなスライドおよび回動が自在であることから、吐出器６の吐出口部５の高さ位置や角度についても調整可能とされている。
【００２３】
なお、吐出口部５の高さ位置については、男性が立って洋式便器３に小用をした際における尿道口の位置に相当する高さであることが好ましい。
【００２４】
また、支持体１０での吐出器６の位置調整は手動でもよいし、あるいは自動化してもよい。そして、模擬小便吐出装置１には、模擬小便２の飛散量や洋式便器３における模擬小便飛散部位を画像または映像として記録するためのモニターカメラ等の撮像装置やセンサー装置等が搭載されていてもよい。
【００２５】
模擬小便吐出装置１では、連通路７の途中に、吐出口部５からの模擬小便２の吐出量を調整する流量調整手段１２と、所定時間経過後、吐出口部５からの模擬小便２の吐出を停止する停止手段１３も備えていることが好ましい。
【００２６】
流量調整手段１２は、模擬小便２の吐出量を男性の１回当たりの排尿量の範囲内に調整することができる。吐出量としては、例えば、２５０ｍｌ程度の量が例示される。
【００２７】
流量調整手段１２としては、液体の流量調整に通常用いられているものであれば特に制限されず、例えば、バルブなどが例示される。また、流量調整手段１２による流量調整としては、手動調整または自動調整のいずれもが適用可能であるが、模擬小便２の飛散試験の再現性を考慮すると自動調整とすることが好ましい。
【００２８】
停止手段１３は、模擬小便２の吐出時間を男性の１回当たりの排尿時間の範囲内に調整し、所定時間経過後に吐出口部５からの模擬小便２の吐出を停止することができる。所定時間としては、例えば、１２秒程度の時間が例示される。
【００２９】
停止手段１３としては、液体の流量調整に通常用いられている限り特に制限されず、例えば、電磁弁などが例示される。停止手段１３として電磁弁を用いる場合、タイマー制御によって所定時間経過後、速やかに自動で模擬小便２の吐出を停止させることが可能である。
【００３０】
図２は、本発明の模擬小便吐出装置の吐出口部の斜視図である。図３（ａ）は、図２の吐出口部の概略断面図である。図３（ｂ）は、図２の吐出口部の開口の概略正面図である。
【００３１】
図２および図３（ａ）に示すように、吐出口部５は、断面円形状の基部１４と扁平部１５を備え、基部１４から扁平部分１５にかけて徐々に直径が狭まる先細り形状である。また、図３（ｂ）に示すように、吐出口部５の先端は、扁平な開口１１であり、開口１１の短辺側の幅と長辺側の幅の比は、１：３〜１：１０の範囲内である。短辺側の幅と長辺側の幅の比が上記の範囲内であれば、図４に示すように、開口１１から吐出した模擬小便２の水流にひねりが生じて、男性が立って洋式便器３に小用をした際の様子と同じまたはそれによく似た様子を実現することができる。
【００３２】
このような先細り形状かつ扁平な開口１１である吐出口部５の先端から模擬小便２が吐出することにより、図４に示すように、模擬小便２にはらせん状の大きなひねりが生じる。そして、ひねりの大きな模擬小便２が、洋式便器３のボール９内面の水面に着水すると、水面の乱れと模擬小便２の飛散が大きくなる。
【００３３】
開口１１の短辺側の幅としては、例えば、０．５〜２．０ｍｍの範囲が例示される。開口１１の長辺側の幅としては、例えば、４〜８ｍｍの範囲が例示される。短辺側の幅と長辺側の幅が上記の範囲内であれば、立って洋式便器３に小用をした際の様子と同じまたはそれによく似た様子を実現することができる。
【００３４】
なお、開口１１は、使用時に長辺側が正面視縦長に配置されてもよいし、正面視横長に配置されてもよいが、男性の尿道口と同様に正面視縦長に配置されることが好ましい。
【００３５】
吐出口部５の基部１４の直径としては、開口１１の断面積より大きな断面積となることが好ましく、例えば、４〜１２ｍｍの範囲が例示される。また、吐出口部５の先端において、扁平部分１５の長さとしては、例えば、５〜１０ｍｍの範囲が例示される。
【００３６】
吐出口部５の材質としては、所用の形状に加工可能であれば特に制限されないが、例えば、樹脂やガラスなどが例示される。樹脂としては、例えば、アクリル樹脂などの透明度の高い樹脂を使用することが考慮される。
【００３７】
本発明の模擬小便吐出装置は、以上の実施形態によって限定されるものではない。圧送手段、支持体、流量調整手段、停止手段などの構成の細部は様々に可能である。
【００３８】
以下に実施例を示すが、模擬小便吐出装置は、実施例に限定されるものではない。
【実施例】
【００３９】
（実施例）
先端の開口が、短辺側の幅が１．０ｍｍ、長辺側の幅が６．０ｍｍの扁平な開口であり、開口の断面積が６．０ｍｍ２である吐出口部を、開口が正面視縦長になるように吐出器の先端に取り付けた。吐出器は、床面からの高さが７５ｃｍの位置になるよう支持体に固定した。タンクには、模擬小便として水道水を１Ｌ貯留した。模擬小便の吐出量が、１２秒で２５０ｍＬになるように流量調整バルブを調整し、模擬小便の吐出から１２秒後に電磁弁を閉状態にするようにタイマーを設定した。洋式便器（アラウーノＳ、パナソニック株式会社製）の便蓋部を上げてリム上面を露出し、便蓋部とリム上面に、水が付着した部分が変色する水濡れ検知シートを貼着し、洋式便器のボール内面に吐出器の吐出口部を対向させて、模擬小便を吐出した。
（比較例）
吐出口部の先端の開口を断面円形としたこと以外は、実施例と同様にして模擬小便を吐出した。
【００４０】
実施例および比較例の模擬小便吐出装置について、模擬小便の飛散試験を行い、以下の項目について評価した。また、男性モニターが立って洋式便器に小用をした際の結果と比較した。
＜洋式便器の各部位への模擬小便の飛散割合＞
吐出器および吐出口部の位置を調整し、洋式便器のボール内面の水面中央に模擬小便が着水するように模擬小便を吐出した。その際に生じる、洋式便器の各部位への模擬小便の飛散割合を水濡れ検知シートの変色量により測定した。
【００４１】
評価結果を図５に示す。
【００４２】
図５（ａ）に示すように、男性モニターが立って洋式便器に小用をした際には、小便の飛散の５７％はリム上面であって、４３％は便蓋部であった。吐出口部の先端が扁平な開口である実施例の模擬小便吐出装置では、図５（ｂ）に示すように、模擬小便の飛散の５５％がリム上面であって、４５％が便蓋部であった。一方、吐出口部の先端が断面円形の開口である比較例の模擬小便吐出装置では、図５（ｃ）に示すように、模擬小便の飛散の７３％がリム上面であって、２７％が便蓋面であった。したがって、吐出口部の先端が断面円形の開口である場合よりも扁平な開口である場合の方が、男性が立って洋式便器に小用をした際の小便の飛散の様子とよく似た様子を実現することができることが確認された。
【符号の説明】
【００４３】
１  模擬小便吐出装置
２  模擬小便
３  洋式便器
４  タンク
５  吐出口部
６  吐出器
７  連通路
８  圧送手段
９  ボール
１０  支持体
１０ａ  スタンド型支柱
１０ｂ  横架バー
１１  開口
１２  流量調整手段
１３  停止手段
【図１】
0006601753.tif 000002
【図２】
0006601753.tif 000003
【図３】
0006601753.tif 000004
【図４】
0006601753.tif 000005
【図５】
0006601753.tif 000006